(57)【特許請求の範囲】
【請求項１】
筐体内に収納設置される上端部開放の筒状を呈したケース体と、このケース体内に上方へ抜け出てしまわないように上下方向へスライド可能に収納されたスライダーと、このスライダーに取り付けられて前記ケース体の内外へ収納突出可能に取り付けられた複数のアンテナロッドと、前記スライダーの側と前記ケース体の内底部の側との間に張設されたコイルスプリングと、前記ケース体の側部に前記スライダーを係止及び解除するために設けられた係止解除手段とを有し、前記複数のアンテナロッドは、前記スライダーの軸方向へ固定して取り付けたメインアンテナロッドと、前記スライダーの外方向へ旋回可能に取り付けられた単数又は複数のサブアンテナロッドで構成し、前記サブアンテナロッドは、収納時には折り畳まれてメインアンテナロッドと共に前記ケース体内へ自動的に収納され、前記ケース体からの取出し時には自動的に旋回して開脚するように成したことを特徴とする、小型電子機器のアンテナ装置。
【請求項２】
前記係止解除手段は、前記ケース体の上部側に一方向へ回転可能に付勢されて設けられた前記スライダーの係止レバーと、この係止レバーを動作させるために前記ケース体に取り付けられた押ボタン部材とで構成したことを特徴とする、請求項１に記載の小型電子機器のアンテナ装置。
【請求項３】
前記サブアンテナロッドは、外方向へ開脚する方向へ旋回付勢されて前記スライダーの側に取り付けられていることを特徴とする、請求項１に記載の小型電子機器のアンテナ装置。
【請求項４】
前記サブアンテナロッドは、開脚した際に前記ケース体に取り付けた端子と接触するように構成されていることを特徴とする、請求項１に記載の小型電子機器のアンテナ装置。
【請求項５】
前記筐体がノート型パソコンやＰＤＡの筐体であることを特徴とする、請求項１に記載の小型電子機器のアンテナ装置。
【請求項６】
前記筐体が、携帯電話機の筐体であることを特徴とする、請求項１に記載の小型電子機器のアンテナ装置。
【発明の詳細な説明】
【技術分野】
【０００１】
本発明は、ノート型パソコン、ＰＤＡ、その他の携帯端末のような小型電子機器で無線通信機能を持ったもの、或は最初から無線通信機能を持っている携帯電話機のような小型電子機器などに用いて好適なアンテナ装置に関する。
【背景技術】
【０００２】
近年、携帯電話機は勿論であるが、ＰＤＡ、ノート型パソコン、その他の各種携帯端末のようなものにあっても、無線通信機能を搭載させており、テレビを視聴したり、ネット通信を行ったりすることのできるようにしたものが、特許文献１に示したように、出回るようになって来ている。
【０００３】
このような無線通信対応型の小型電子機器はアンテナ装置を備えている。このようなアンテナ装置としてロッド式アンテナ装置が広く用いられており、例えば特許文献２に示されたようなものが公知である。
【先行技術文献】
【特許文献】
【０００４】
【特許文献１】特開２００９−１５９３０９号公報
【特許文献２】特開２００２−２６６１９号公報
【発明の概要】
【発明が解決しようとする課題】
【０００５】
このようなロッド式アンテナ装置は、アンテナロッドを小型電子機器の不使用時には機器本体内に収納しておき、使用時に引き出して使用するものであるが、引き出し時はアンテナロッドが比較的スムーズに引き出されて余り問題は生じないが、収納時にアンテナロッドを押して収納させるが、煩雑である上にスムーズに収納されない場合を生じ、アンテナロッドが曲がったり、折れたりしてしまい易いという問題点があった。
【０００６】
また、このようなアンテナロッドにあっては、複数の周波数に対応するために軸方向へ各周波数に合った受信領域を作る必要があり、アンテナロッドが長くなって収納スペースを取ってしまうという問題点もあった。
【０００７】
本発明は上記課題を解決しようとしてなされたものであり、その目的とするところは、アンテナの収納時にワンタッチでアンテナロッドを自動的に機器本体内へ収納できるように成した無線通信機能を持った小型電子機器のアンテナ装置を提供せんとするにある。
【０００８】
本発明の次の目的は、複数の各周波数に対応した電波を受信できる複数のアンテナロッドを自動的に機器本体内へ収納できた上で、自動開脚可能になるように構成した複数の周波数の電波を送受信できる無線通信機能を持った小型電子機器のアンテナ装置を提供せんとするにある。
【課題を解決するための手段】
【００１０】
上記目的を達成するために、本発明は、無線通信機能を搭載させた筐体内に収納設置される上端部開放の筒状を呈したケース体と、このケース体内に上方へ抜け出てしまわないように上下方向へスライド可能に収納されたスライダーと、このスライダーに取り付けられて前記ケース体の内外へ収納突出可能に取り付けられた複数のアンテナロッドと、前記スライダーの側と前記ケース体の内底部の側との間に張設されたコイルスプリングと、前記ケース体の側部に前記スライダーを係止及び解除するために設けられた係止解除手段とを有し、前記複数のアンテナロッドは、前記スライダーの軸方向へ固定して取り付けたメインアンテナロッドと、前記スライダーの外方向へ旋回可能に取り付けられた単数又は複数のサブアンテナロッドで構成し、前記サブアンテナロッドは、収納時には折り畳まれてメインアンテナロッドと共に前記ケース体内へ自動的に収納され、前記ケース体からの取出し時には自動的に旋回して開脚するように成したことを特徴とする。
【００１１】
その際に本発明は、係止解除手段を、前記ケース体の上部側に一方向へ回転可能に付勢されて設けられた前記スライダーの係止レバーと、この係止レバーを動作させるために前記ケース体に取り付けられた押ボタン部材とで構成することができる。
【００１２】
本発明はまた、前記サブアンテナロッドを、外方向へ開脚する方向へ旋回付勢させて前記スライダーの側に取り付けたことを特徴とする。
【００１３】
本発明はまた、前記サブアンテナロッドを、開脚した際に前記ケース体に取り付けた端子と接触するように構成したことを特徴とする。
【００１４】
そして、本発明は、前記筐体がＰＤＡやノート型パソコン、或は携帯電話機などの筐体であることを特徴とする。
【発明の効果】
【００１５】
本発明は以上のように構成したので、ノート型パソコン、携帯電話機、ＰＤＡといった小型電子機器で、テレビ受信機能、ネット通信機能等の複数の無線通信機能を持つものに、各機能に応じた電波の受信を可能とならしめ、かつ、アンテナロッドの収納時において、押ボタン部材を押すことにより、ワンタッチでアンテナロッドを収納できるという効果を奏し得る。
【００１６】
また、アンテナロッドをスライダーの軸心部軸方向へ取り付けたメインアンテナロッドと、スライダーの側部に外方向へ旋回付勢されて取り付けた単数又は複数のサブアンテナロッドとで構成すると、ロッド式アンテナ装置を小型化できた上で、メインアンテナロッドの収納時にサブアンテナロッドが折り畳まれてメインアンテナロッドと共にケース体内へ収納され、取出し時にサブアンテナロッドを自動的に開くことができるという効果を奏し得る。
【図面の簡単な説明】
【００１７】
【図１】本発明を実施した小型電子機器の１例であるノート型パソコンの斜視図である。
【図２】本発明に係るアンテナ装置を示し、（ａ）図はアンテナロッドを開いた状態、（ｂ）図はアンテナロッドをケース体内へ収納した状態を示す。
【図３】本発明に係るアンテナ装置の縦断面図を示し、（ａ）図はアンテナロッドを開いた状態、（ｂ）図はアンテナロッドをケース体内に収納させた状態を示す。
【図４】本発明に係るアンテナ装置の分解斜視図である。
【図５】本発明に係るアンテナ装置の要部の拡大断面図である。
【図６】本発明に係るアンテナ装置の要部の拡大断面図である。
【図７】本発明に係るアンテナ装置の要部の斜視図である。
【図８】本発明に係るアンテナ装置を用いた携帯電話機の斜視図である。
【発明を実施するための形態】
【００１８】
以下、本発明に係る通信機能を持った小型電子機器のアンテナ装置の一実施例を図面に基いて詳細に説明する。
【実施例１】
【００１９】
図面によれば図１において、指示記号１で示したものは、無線通信機能を持った小型電子機器の一例であるノート型パソコンであり、このノート型パソコン１は、キーボードを設けた第１の筐体２と、ディスプレイ装置を設けた第２の筐体３との各後端部を開閉装置４を介して開閉可能に連結してある。
【００２０】
このノート型パソコン１の第２の筐体３の一側部上端からは、本発明に係るアンテナ装置５のアンテナロッド６が突出している。このアンテナロッド６は、中央のメインアンテナロッド７と、このメインアンテナロッド７の周囲より放射状かつ逆傘状に開脚した３本のサブアンテナロッド８とで構成されている。そして、第２の筐体３の側部からは、後述するスライダー１０の係止解除手段１１を構成する押ボタン部材９がその頭部９ａを突出させている。
【００２１】
アンテナ装置５は、とくに図２乃至図７に示したように、外周に鍔部１２ａを設けた丸筒状で上部開口のケース体１２と、このケース体１２内に上下方向へスライド可能に収納されたスライダー１０と、このスライダー１０に取り付けられたアンテナロッド６と、ケース体１２の底部に取付ピン１３ｂで取り付けられた栓部材１３と、この栓部材１３とスライダー１０との間に張設された、例えば引張りコイルスプリングのようなコイルスプリング１４と、ケース体１２の側部に設けられた前記スライダー１０を所定のスライド位置で係止し、この係止状態を解除する係止解除手段１１とで構成されている。スライダー１０にはその一側部にキー溝１０ｅが設けられ、ケース体１２の内部に設けたキー部１２ｅと係合して、スライダー１０がケース体１２内で回転しないように構成されている。尚、コイルスプリング１４の下端部１４ａは栓部材１３に設けた取付孔１３ａに係止されると共に、ケース体１２には第２の筐体３より抜け出ないようにその鍔部１２ａを当該第２の筐体３に設けた収装穴３ａのリング状溝部３ｂと係合させている。尚、ケース体１２と栓部材１３に指示記号１２ｆと１３ｃで示されたものは、取付ピン１３ｂを取り付けるための取付孔である。
【００２２】
スライダー１０には、その中心部軸方向へ貫通し、固定ピン７ａ、７ａで固定されて軸方向へ伸びるメインアンテナロッド７が取り付けられており、スライダー１０の外周部にはメインアンテナロッド７を囲んで等角度に連結ピン１５を介して旋回可能に３本のサブアンテナロッド８が取り付けられている。そして、メインアンテナロッド７とサブアンテナロッド８でアンテナロッド６を構成している。
【００２３】
メインアンテナロッド７は、先端７ｅにノブ７ｂを取り付けて好ましくはステンレス製の一本の棒体である。また、各サブアンテナロッド８は３本共同じ構成であるので、そのうちの１本についてのみ説明し、他の２本はその内部構造の説明は省略する。尚、当然のことながら、同じ指示記号のものは同じ構成と機能を持っている。また、メインアンテナロッド７の下端部にコイルスプリング１４の上端部１４ｂを係止した係止孔７ｃが設けられている。
【００２４】
サブアンテナロッド８は、メインアンテナロッド７と同じステンレス製であり、スライダー１０の外周部の上部側に１２０°の間隔を置いて設けた３個のスリット１０ａに連結ピン１５を介して旋回可能に取り付けられた基部８ａと、この基部８ａを下部側へ挿入させて固定させた筒状の収納筒体８ｂと、この収納筒体８ｂ内に上下方向へスライド可能に取り付けられたスライド部材８ｃと、このスライド部材８ｃの軸方向へ取り付けられた伸縮棒体８ｄとから成り、この伸縮棒体８ｄは、先端にノブ８e が取り付けられるとともに、スライド部材８ｃの外周に設けた溝部８ｆに嵌着させた半筒状を呈したバネ部材から成るフリクション部材８ｇとで構成されている。さらに詳しくは、とくに図５と図６に示したように、サブアンテナロッド８を構成する基部８ａには、後述する板バネ１６と係合する係合片部８ｈが設けられている。
【００２５】
スライダー１０の外周部にはスリット１０ａに続いて板バネ収容部１０ｂが設けられており、この板バネ収容部１０ｂの両側に設けられた取付溝１０ｃ、１０ｃに嵌めた固定片１６ａを介して板バネ１６がその下部側を固定されており、この板バネ１６の自由端側が基部８ａを設けた係合片部８ｈと係合し、サブアンテナロッド８を外方向へ旋回するように付勢させている。そして、ケース体１２の外周部上端に設けた取付凹部１２ｃには、各サブアンテナロッド８に対応して、当該サブアンテナロッド８が旋回して開脚した際に当接する断面略Ｕ字形状を呈した端子１７が、その固定孔１７ａに係合凸部１２ｄを嵌合させて同じく１２０°間隔で取り付けられている。尚、サブアンテナロッド８の設置本数については、実施例では３本であるが、その本数に限定はない。３本以上であっても良いし、３本以下であっても良い。
【００２６】
さらに、サブアンテナロッド８の構成は、図面に示したようにそれ自身が伸縮自在のものであっても良いが、このものに限定されない。メインアンテナロッド７のように構成しても良い。また、メインアンテナロッド７をサブアンテナロッド８のように伸縮自在に構成しても良い。
【００２７】
係止解除手段１１は、ケース体１２の外周部の上端側に設けた正面略矩形状の取付孔１２ｂに、連結ピン１８を介して回動可能に取り付けられた係止部１９ａを有する係止レバー１９と、第２の筐体３の側にこの係止レバー１９の支点を超えた側を押圧すべく取り付けられた押ボタン部材９と、係止レバー１９を一方向へ回動付勢させるためにケース体１２と係止レバー１９との間に設けられた弾性手段２０とで構成されている。
【００２８】
したがって、とくに図２と図３の各（ｂ）図に示したように、アンテナ装置５の不使用時には、アンテナロッド６を構成する各サブアンテナロッド８は折り畳まれてメインアンテナロッド７に添った状態で、メインアンテナロッド７と共にケース体１２内に収納されている。この時には、図示したように、スライダー１０はケース体１２内部へ引き込まれた状態であり、コイルスプリング１４は収縮してスライダー１０を下方へ引張ってケース体１２内にスライダー１０と共に収納された状態にある。さらに、この状態において、各サブアンテナロッド８のノブ８ｅは、図２の（ｂ）図に示したように、メインアンテナロッド７のノブ７ｂの外周に設けた凹部７ｄ内に収まっている。
【００２９】
アンテナ装置５を使用する場合には、ケース体１２の上端部より突出しているメインアンテナロッド７のノブ７ｂをサブアンテナロッド８のノブ８ｅと共に手指で摘んで上方へ引張ると、スライダー１０がコイルスプリング１４の引張力に抗してケース体１２内をスライドして上方へ移動し、メインアンテナロッド７とサブアンテナロッド８がケース体１２、しかして第２の筐体３より外へ引き出されるので、スライダー１０に設けた係合凹部１０ｄが、係止レバー１９の係止部１９ａで係止されてスライダー１０が停止するまで引き出して手を離すと、手指でメインアンテナロッド７のノブ７ｂに押さえられていた各サブアンテナロッド８が基部８ａに作用している板バネ１６の弾力により自動的に開脚して図２と図３の各（ａ）図に示したように開かれるので、アンテナロッド６の使用が可能となる。そして、サブアンテナロッド８が開かれた後、伸縮棒体８ｄが収納筒体８ｂ内より外部へ引き出したり収納させたりして電波の感度調節を行なうことが可能となるものである。この伸縮棒体８ｄが収納筒体８ｂより引き出されたり押し込まれたりする際には、フリクション部材８ｇによって、伸縮棒体８ｄは収納筒体８ｂに対して任意の位置で安定停止させられることになる。
【００３０】
そして、各サブアンテナロッド８が開くと、その基部８ａの側部が板バネ１６の弾力により各端子１７に押し当てられ電気的に接続されるので、ノート型パソコン１の各種周波数の電波の受信が可能となるものである。
【００３１】
ノート型パソコン１の使用をやめてアンテナ装置５を第２の筐体３内へ収納させる場合には、押ボタン部材９を押すと、係止レバー１９が弾性手段２０の弾力に抗して回転し、その係止部１９ａによるスライダー１０の係合凹部１０ｄへの係止を解くので、スライダー１０はコイルスプリング１４の牽引力によりケース体１２内へ自動的に引き込まれることになる。この際に、開脚している各サブアンテナロッド８は、板バネ１６の弾力に抗して閉じられ、メインアンテナロッド７と共にケース体１２内部へ収納されることになる。
【実施例２】
【００３２】
図８は、本発明に係るアンテナ装置を小型電子機器の一例としての携帯電話機に実施した場合を示す。
【００３３】
図示したように、開閉装置２５を介して互いに開閉可能に連結されたキーボード部を設けた第１の筐体２６とディスプレイ部を有する第２の筐体２７から成る携帯電話機２８の第２の筐体２７の一側部には、実施例１で説明したものと同じ構造のアンテナ装置２９が取り付けられており、メインアンテナロッド３０と開脚した複数のサブアンテナロッド３１から成るアンテナロッド３２が外部に露出させた状態のものが示されている。
【００３４】
充分に図示はしてないが、アンテナ装置２９の内部構造と機能は実施例１のアンテナ装置５のものと同じであるので説明を省略する。
【００３５】
このように実施すると、最近の携帯電話機が保有するテレビ受信機能やその他の無線通信機能等に対応することが可能となり、その利便性が向上することになる。
【００３６】
以上の説明では、本発明をノート型パソコンと携帯電話機に適用した場合について説明したが、本発明に係るアンテナ装置は、無線通信機能を搭載させたＰＤＡ、その他の携帯ゲーム機のような携帯端末に適用できるものである。また、アンテナ装置を取り付ける筐体は、上述した第１の筐体の側へ取り付けることも可能である。さらに、アンテナロッドを牽引するコイルスプリングとして、引張りコイルスプリングを用いたものについて説明したが、これを圧縮コイルスプリングとすることも可能である。
【産業上の利用可能性】
【００３７】
本発明は以上のように構成したので、テレビ受信機能、インターネット送受信機能等の搭載したノート型パソコン、携帯電話機、ＰＤＡ、携帯ゲーム機といった小型電子機器のアンテナ装置として好適に用いられるものである。
【符号の説明】
【００３８】
１  ノート型パソコン
２、２６  第１の筐体
３、２７  第２の筐体
５、２９  アンテナ装置
６、３２  アンテナロッド
７、３０  メインアンテナロッド
８、３１  サブアンテナロッド
９  押ボタン部材
１０  スライダー
１１  係止解除手段
１２  ケース体
１４  コイルスプリング
１４ｂ  上端部
１７  端子
１９  係止レバー
２８  携帯電話機
【図１】
0005572405.tif 000002
【図２】
0005572405.tif 000003
【図３】
0005572405.tif 000004
【図４】
0005572405.tif 000005
【図５】
0005572405.tif 000006
【図６】
0005572405.tif 000007
【図７】
0005572405.tif 000008
【図８】
0005572405.tif 000009